(57)【要約】【課題】装置本体にあるカートリッジを交換する際の交換作業性及び装置内で挟まった記録媒体を除去する際の除去作業性を向上させる。【解決手段】フック１５８と突起部１５４とを係合させ、開閉部１５０とプロセスカートリッジ１２８との連結状態が維持する。これにより、開閉部１５０の開放動作に連動して、プロセスカートリッジ１２８が開閉部１５０の開放側へ移動し、装置本体１１２にあるプロセスカートリッジ１２８を交換する際の交換作業性がよい。また、操作レバー１６２を操作することにより、フック１５８を突起部１５４から外し、リンク部材１５２の連結状態を解除する。これにより、プロセスカートリッジ１２８が移動せず、プロセスカートリッジ１２８と転写装置１３８との間が開放される。プロセスカートリッジ１２８と転写装置１３８との間に挟まった用紙Ｐの除去を行う場合に、操作レバー１６２を操作すればよいので、用紙Ｐの除去作業性がよい。【選択図】図１２
2008046402.tif 000002
【特許請求の範囲】
【請求項１】
装置本体に対し着脱可能に設けられ記録媒体に像を形成するカートリッジと、
前記カートリッジに対向し前記記録媒体を搬送する搬送部材と、
前記搬送部材を前記装置本体に対し開閉する開閉部と、
前記開閉部の開放動作に連動して、前記カートリッジを前記開閉部の開放側へ移動させる移動機構と、
前記開閉部を開放する際に、前記移動機構を機能させるか否かを選択する選択手段と、
を備えたことを特徴とする画像形成装置。
【請求項２】
前記移動機構は、前記開閉部と前記カートリッジとを連結するリンク部材を備えて構成され、
前記選択手段は、前記リンク部材の連結状態を解除する解除手段を備えて構成されたことを特徴とする請求項１に記載の画像形成装置。
【請求項３】
前記解除手段は、
前記開閉部に変位可能に設けられた係合部と、
前記リンク部材に設けられ、前記係合部と係合する被係合部と、
前記係合部を前記被係合部との係合方向に付勢する付勢手段と、
前記付勢手段の付勢力に対抗して前記係合部を係合方向と反対方向へ移動させる操作部と、
を備えて構成されたことを特徴とする請求項２に記載の画像形成装置。
【請求項４】
前記カートリッジは、複数配置され、
前記搬送部材は、前記複数のカートリッジのトナー像担持体に跨って配置されたベルト部材であることを特徴とする請求項１〜３のいずれか１項に記載の画像形成装置。
【請求項５】
前記開閉部は、装置本体の上部を開閉し、
前記複数のカートリッジは、横方向に配置され、
前記移動機構は、前記複数のカートリッジのうち、前記開閉部の自由端の近くに位置する第１のカートリッジを、前記開閉部の第１の開放角度で前記開閉部の開放側へ移動させ、前記第１のカートリッジよりも前記開閉部の自由端から遠くに位置する第２のカートリッジを、第１の開放角度よりも大きな第２の開放角度で前記開閉部の開放側へ移動することを特徴とする請求項４に記載の画像形成装置。
【請求項６】
前記第１のカートリッジは、モノクロカートリッジであり、前記第２のカートリッジは、カラーカートリッジであることを特徴とする請求項５に記載の画像形成装置。
【請求項７】
前記開閉部には、原稿上の画像を読み取る読取り部が設けられたことを特徴とする請求項５又は請求項６に記載の画像形成装置。
【請求項８】
前記移動機構は、前記第１のカートリッジを上方に移動させると共に、前記第１のカートリッジを開放側に回動可能することを特徴とする請求項５〜７のいずれか１項に記載の画像形成装置。
【請求項９】
前記移動機構は、前記第１のカートリッジを上方に移動させ、前記第２のカートリッジを回動させながら前記開閉部の開放側へ移動させることを特徴とする請求項５〜８のいずれか１項に記載の画像形成装置。
【請求項１０】
前記移動機構は、
一端部が前記装置本体に支持され前記第２のカートリッジを収容するカートリッジケースと、
前記カートリッジケースの他端部と前記開閉部とに連結され、前記開閉部の開閉動作に連動して前記カートリッジケースを回動させるリンク部材と、
を備えて構成されていることを特徴とする請求項９に記載の画像形成装置。
【発明の詳細な説明】
【技術分野】
【０００１】
本発明は、記録媒体に画像を形成する画像形成装置に関する。
【背景技術】
【０００２】
記録媒体に画像を形成する画像形成装置としては、特許文献１〜５に開示される画像形成装置が公知である。
【０００３】
特許文献１〜５の画像形成装置は、装置本体に開閉可能に設けられた開閉部を備え、この開閉部を開閉することにより、装置本体にある交換部品としてのカートリッジを交換すると共に、搬送路に挟まった記録媒体を除去する構成が開示されている。
【特許文献１】特開２０００−０３９８２７号公報
【特許文献２】特開２００４−２４０３５４号公報
【特許文献３】特開２００５−０６２３２６号公報
【特許文献４】特公平０７−０９８４０２号公報
【特許文献５】特開２００５−０４３５９４号公報
【発明の開示】
【発明が解決しようとする課題】
【０００４】
ところで、特許文献１〜５のような装置では、装置本体にあるカートリッジを交換する際の交換作業性がよいことが望ましく、また、装置内で挟まった記録媒体を除去する際の除去作業性がよいことが望ましい。
【０００５】
本発明は、上記事実を考慮し、装置本体にあるカートリッジを交換する際の交換作業性及び装置内で挟まった記録媒体を除去する際の除去作業性を向上させる画像形成装置を提供することを目的とする。
【課題を解決するための手段】
【０００６】
本発明の請求項１に係る画像形成装置は、装置本体に対し着脱可能に設けられ記録媒体に像を形成するカートリッジと、前記カートリッジと対向し記録媒体を搬送する搬送部材と、前記搬送部材を前記装置本体に対し開閉する開閉部と、前記開閉部の開放動作に連動して、前記カートリッジを前記開閉部の開放側へ移動させる移動機構と、前記開閉部を開放する際に、前記移動機構を機能させるか否かを選択する選択手段と、を備えたことを特徴とする。
【０００７】
この構成によれば、カートリッジを交換する際に、選択手段で選択することにより、移動機構を機能させる。これにより、開閉部の開放動作に連動して、カートリッジが開閉部の開放側へ移動するので、カートリッジを装置本体から取り出すのが楽になり、装置本体にあるカートリッジを交換する際の交換作業性がよい。
【０００８】
一方、カートリッジと搬送部材との間に挟まった記録媒体の除去を行う場合は、選択手段で選択することにより、移動機構が機能しないようにする。これにより、開閉部を開放しても、カートリッジが移動せず、カートリッジと搬送部材との間が開放されるので、カートリッジと搬送部材との間に挟まった記録媒体を除去する際の除去作業性がよい。
【０００９】
以上のように、請求項１の構成によれば、装置本体にあるカートリッジを交換する際の交換作業性及び装置内で挟まった記録媒体を除去する際の除去作業性を向上できる。
【００１０】
本発明の請求項２に係る画像形成装置は、請求項１の構成において、前記移動機構は、前記開閉部と前記カートリッジとを連結するリンク部材を備えて構成され、前記選択手段は、前記リンク部材の連結状態を解除する解除手段を備えて構成されたことを特徴とする。
【００１１】
この構成によれば、開閉部とカートリッジとを連結するリンク部材の連結状態を解除するか否かによって、移動機構を機能させるか否かが選択されるので、簡易な構成でカートリッジを移動させるか否かを選択できる。
【００１２】
本発明の請求項３に係る画像形成装置は、請求項１又は請求項２の構成において、前記解除手段は、前記開閉部に変位可能に設けられた係合部と、前記リンク部材に設けられ、前記係合部と係合する被係合部と、前記係合部を前記被係合部との係合方向に付勢する付勢手段と、前記付勢手段の付勢力に対抗して前記係合部を係合方向と反対方向へ移動させる操作部と、を備えて構成されたことを特徴とする。
【００１３】
この構成によれば、開閉部に変位可能に設けられた係合部は、リンク部材に設けられた被係合部との係合方向に付勢されている。これにより、開閉部とカートリッジとを連結するリンク部材の連結状態が維持され、開閉部の開放動作に連動して、カートリッジが開閉部の開放側へ移動する。
【００１４】
カートリッジと搬送部材との間に挟まった記録媒体の除去を行う場合は、操作部を操作することにより、付勢手段の付勢力に対抗して係合部を係合方向と反対方向へ移動させる。
これにより、リンク部材の連結状態を解除され、カートリッジが移動せず、カートリッジと搬送部材との間が開放される。
【００１５】
このように、カートリッジと搬送部材との間に挟まった記録媒体の除去を行う場合に、操作部を操作すればよいので、カートリッジの交換作業性及び記録媒体の除去作業性がよい。
【００１６】
本発明の請求項４に係る画像形成装置は、請求項１〜３のいずれか１項の構成において、前記カートリッジは、複数配置され、前記搬送部材は、前記複数のカートリッジのトナー像担持体に跨って配置されたベルト部材であることを特徴とする。
【００１７】
本発明の請求項５に係る画像形成装置は、請求項１〜４のいずれか１項の構成において、前記開閉部は、装置本体の上部を開閉し、前記複数のカートリッジは、横方向に配置され、前記移動機構は、前記複数のカートリッジのうち、前記開閉部の自由端の近くに位置する第１のカートリッジを、前記開閉部の第１の開放角度で前記開閉部の開放側へ移動させ、前記第１のカートリッジよりも前記開閉部の自由端から遠くに位置する第２のカートリッジを、第１の開放角度よりも大きな第２の開放角度で前記開閉部の開放側へ移動することを特徴とする。
【００１８】
この構成によれば、第１の開放角度まで開閉部を開放すると、複数のカートリッジのうち、開閉部の自由端の近くに位置する第１のカートリッジが、開閉部の開放側へ移動する。第１の開放角度よりも大きな第２の開放角度まで開閉部を開放すると、第１のカートリッジよりも開閉部の自由端から遠くに位置する第２のカートリッジが、開閉部の開放側へ移動する。
【００１９】
このように、開閉部の開放角度に応じて、第１のカートリッジ及び第２のカートリッジを移動するので、時間差で第１のカートリッジ及び第２のカートリッジが移動する。すなわち、第１のカートリッジを移動させた後に、第２のカートリッジを移動する。これにより、第１のカートリッジがあったスペースを利用して、第２のカートリッジを移動させられ、カートリッジを移動させるためのスペースを別途確保する必要がないので、複数のカートリッジをコンパクトに配置できる。
【００２０】
本発明の請求項６に係る画像形成装置は、請求項１〜５のいずれか１項の構成において、前記第１のカートリッジは、モノクロカートリッジであり、前記第２のカートリッジは、カラーカートリッジであることを特徴とする。
【００２１】
この構成によれば、開閉部を大きく開放しなくても、交換頻度の高いモノクロカートリッジが交換できるので、モノクロカートリッジを交換する際の操作性がよい。
【００２２】
本発明の請求項７に係る画像形成装置は、請求項１〜６のいずれか１項の構成において、前記開閉部には、原稿上の画像を読み取る読取り部が設けられたことを特徴とする。
【００２３】
この構成によれば、重量のある画像読取部が開閉部に設けられていても、開閉部を大きく開放せずに、第１のカートリッジが交換できるので、第１のカートリッジを交換する際の操作性がよい。また、第１のカートリッジをモノクロカートリッジにした構成では、交換頻度の高いモノクロカートリッジの交換がしやすくなるので、重量のある画像読取部が開閉部に設けられていても、モノクロカートリッジを交換する際の操作性がよい。
【００２４】
本発明の請求項８に係る画像形成装置は、請求項１〜７のいずれか１項の構成において、前記移動機構は、前記第１のカートリッジを上方に移動させると共に、前記第１のカートリッジを開放側に回動可能にすることを特徴とする。
【００２５】
この構成によれば、第１のカートリッジが上方へ移動し、さらに開放側へ回動できるようにしたので、縦長のカートリッジでも、開閉部を大きく開放することなく、交換できる。
【００２６】
本発明の請求項９に係る画像形成装置は、請求項１〜８のいずれか１項の構成において、前記移動機構は、前記第１のカートリッジを上方に移動させ、前記第２のカートリッジを回動させながら前記開閉部の開放側へ移動させることを特徴とする。
【００２７】
この構成によれば、第１のカートリッジが移動したことでできるスペースを利用して、第２のカートリッジを回動させることができるので、機構が複雑とならず、小型化できる。
【００２８】
本発明の請求項１０に係る画像形成装置は、請求項１〜９のいずれか１項の構成において、前記移動機構は、一端部が前記装置本体に支持され前記第２のカートリッジを収容するカートリッジケースと、前記カートリッジケースの他端部と前記開閉部とに連結され、前記開閉部の開閉動作に連動して前記カートリッジケースを回動させるリンク部材と、を備えて構成されていることを特徴とする。
【００２９】
この構成によれば、カートリッジケースの他端部と開閉部とに連結されたリンク部材が、開閉部の開閉動作に連動してカートリッジケースを回動させる。
【００３０】
ここで、第２のカートリッジが収容されたカートリッジケースは、装置本体側で支持される。このため、開閉部の荷重が過大とならず、開閉部を開閉する際の操作性がよい。
【発明の効果】
【００３１】
本発明は、上記構成としたので、装置本体にあるカートリッジを交換する際の交換作業性及び装置内で挟まった記録媒体を除去する際の除去作業性を向上させることができる。
【発明を実施するための最良の形態】
【００３２】
以下に、本発明の画像形成装置に係る実施形態を図面に基づき説明する。
〔第１実施形態〕
まず、第１実施形態に係る画像形成装置１０の全体構成について、図１に基づき説明する。本実施形態に係る画像形成装置１０は、図１に示すように、箱状の装置本体１２を備え、この装置本体１２には、装置本体１２の上部を開閉する開閉部５０が設けられている。開閉部５０は、その一端部（図１において右端部）が支持部５０Ａによって回動可能に支持されており、この支持部５０Ａを中心に回動することにより、装置本体１２の上部が開放される。開閉部５０には、原稿の画像を読み取り電気的な画像信号に変換する画像読取部５２が設けられている。
【００３３】
画像読取部５２は、読み取り対象となる原稿を載せるガラス製のプラテン５４を備えている。このプラテン５４の上部には、プラテン５４上に載せられた原稿を保持するプラテンカバー５６が開閉可能に取り付けられている。この画像読取部５２は、プラテン５４に載せられた原稿へ照射される照射光を横方向（例えば、図１における左右方向）へ沿って走査し、原稿から反射した反射光を検出し、電気的な画像信号に変換するようになっている。また、この画像信号は、後述する露光装置３４へ送られるように構成されている。
【００３４】
一方、装置本体１２には、その上部にある角部（図１において右斜め上にある端部）に、用紙（記録媒体）Ｐが束状に積層される給紙トレイ１４が配置されている。
【００３５】
この給紙トレイ１４の先端側（図１において左端側）の直上には、用紙Ｐの上面の先端側に圧接して給紙トレイ１４から用紙Ｐを送り出すフィードロール１６が配置されている。
【００３６】
また、装置本体１２には、給紙トレイ１４の先端部から延出して、横方向へ向かって略水平に延びる搬送路２２が形成されている。
【００３７】
この搬送路２２に沿って、用紙搬送方向の上流側から順に、用紙Ｐを挟持搬送する搬送ロール対２４、画像が形成される用紙Ｐに密着して、その用紙Ｐを搬送する無端状の転写ベルト２６が配置されている。
【００３８】
転写ベルト２６は、用紙搬送方向上流側に配置された張架ローラ２７と、用紙搬送方向下流側に配置された張架ローラ２９に張架されており、張架ローラ２７及び張架ローラ２９のいずれかが、所定方向（図１において、時計回り方向）へ回転駆動することにより、転写ベルト２６が所定方向（図１において、時計回り方向）へ回転（循環駆動）する。
【００３９】
また、搬送路２２を間に挟んで、転写ベルト２６に対向する下方には、イエロー、マゼンタ、シアン、ブラックの各色に対応した複数のプロセスカートリッジ２８Ｙ、２８Ｍ、２８Ｃ、２８Ｋ（以下、２８Ｙ、２８Ｍ、２８Ｃ、２８Ｋをまとめて２８と記す）が、搬送路２２に沿って、装置本体１２に略水平方向へ横列配置されている。すなわち、プロセスカートリッジ２８Ｋは、モノクロ画像を形成するためのモノクロカートリッジであり、開閉部５０の自由端に近い位置に配置され、プロセスカートリッジ２８Ｙ、２８Ｍ、２８Ｃは、カラー画像を形成するためのカラーカートリッジであり、開閉部５０の自由端から遠い位置に配置されている。
【００４０】
各プロセスカートリッジ２８には、それぞれ、所定方向（図１において反時計回り方向）へ回転する感光体ドラム３０が設けられている。
【００４１】
感光体ドラム３０の周囲には、感光体ドラム３０の回転方向上流側から順に、それぞれ、感光体ドラム３０上を帯電させる帯電ローラ３２と、帯電した感光体ドラム３０を露光して感光体ドラム３０上に潜像を形成する露光装置３４と、感光体ドラム３０上に形成された潜像へ各色のトナーを付着させて現像する現像ローラ３６と、が設けられている。
【００４２】
この帯電ローラ３２及び現像ローラ３６は、各プロセスカートリッジ２８に、それぞれ、設けられている。
【００４３】
感光体ドラム３０に対向する上方には、転写ベルト２６の内周側に、それぞれ、感光体ドラム３０上に形成されたトナー画像を用紙Ｐへ所定の転写位置で転写する転写装置３８が設けられている。
【００４４】
転写ベルト２６より用紙搬送方向下流側には、転写されたトナー画像を用紙Ｐへ定着させる定着装置４０、用紙Ｐを排出トレイ２０へ排出する排出ロール対４４が、この順で配置されている。
【００４５】
次に、本実施形態に係る画像形成装置における、画像を形成する画像形成動作について説明する。
【００４６】
本実施形態に係る画像形成装置において、画像読取部５２において、プラテンに載せられた原稿から画像を読み取り、電気的な画像信号に変換する。この画像信号は、露光装置３４へ入力される。
【００４７】
一方、用紙Ｐは給紙トレイ１４から送り出され、搬送ロール対２４によって搬送路２２を横方向へ搬送され、転写ベルト２６へ送り込まれる。転写ベルト２６へ送り込まれた用紙Ｐは、転写ベルト２６に密着されて、横方向へ搬送され、イエロー、マゼンタ、シアン、ブラックの各色に対応した所定の転写位置へ順次送り込まれる。
【００４８】
所定の転写位置へ送り込まれた用紙Ｐは、感光体ドラム３０上に形成された各色のトナー画像が転写装置３８によって転写され、フルカラー画像が形成される。さらに定着装置４０へ搬送され、転写されたトナー画像が定着装置４０により定着される。トナー画像が定着された後、用紙Ｐは排出ロール対４４により排出トレイ２０へ排出される。以上のように、一連の画像形成動作が行われる。
【００４９】
ここで、開閉部５０の開放動作に連動して、プロセスカートリッジ２８を開閉部５０の開放側へ移動させるための移動機構６０について説明する。
【００５０】
本実施形態に係る移動機構６０は、図２（Ａ）及び図２（Ｂ）に示すように、プロセスカートリッジ２８Ｋを収容するカートリッジケース６２及びプロセスカートリッジ２８Ｙ、２８Ｍ、２８Ｃを収容するカートリッジケース６３を備えている。
【００５１】
プロセスカートリッジ２８Ｋ及びプロセスカートリッジ２８Ｙ、２８Ｍ、２８Ｃは、カートリッジケース６２及びカートリッジケース６３のそれぞれに、ラッチ機構等により、着脱可能に固定されている。
【００５２】
カートリッジケース６２、６３は、図２（Ａ）に示すように、上端が開口されており、プロセスカートリッジ２８の感光体ドラム３０は、この開口を通じて、転写ベルト２６との間を通過する用紙Ｐに接触するように構成されている。また、カートリッジケース６２、６３は、下端が開口されており、プロセスカートリッジ２８は、この開口を通じて、着脱されるようになっている。
【００５３】
カートリッジケース６２の下部の両側面には、図２（Ｂ）に示すように、横方向に突出する突起部６４がそれぞれ形成されている。この突起部６４をガイドするガイド溝６５が、装置本体１２の内壁にそれぞれ形成されている。このガイド溝６５は、縦方向に延びると共に、上部に差込口が形成されており、突起部６４は上部の差込口からガイド溝６５に差し込まれる。
【００５４】
これにより、カートリッジケース６２は、装置本体１２に収容された際に、ガイド溝６５に沿って下方に移動すると共に、突起部６４がガイド溝６５の底面に当接して所定の位置に位置決めされる。また、カートリッジケース６２は、装置本体１２から取り出される際に、ガイド溝６５に沿って上方に案内されるようになっている。
【００５５】
また、カートリッジケース６２の上部の両側面には、リンク部材６６の一端部が回動可能にそれぞれ連結されており、リンク部材６６の他端部は、開閉部５０の下部の両側面に回動可能にそれぞれ連結されている。
【００５６】
これにより、開閉部５０を所定の開放角度θ１まで開放すると、開閉部５０の開放動作に連動して、カートリッジケース６２は、リンク部材６６に引っ張り上げられるようになっている。カートリッジケース６２が引っ張りあげられて上方へ移動することにより、開閉部５０の開放側、すなわち、開閉部５０が開放されることで形成される開放空間へ移動することになる（図３（Ａ）及び図３（Ｂ）参照）。
【００５７】
また、カートリッジケース６２は、リンク部材６６により、開閉部５０の閉鎖動作に連動して、ガイド溝６５に沿って下方へ移動するようになっている。
【００５８】
一方、カートリッジケース６３の下部の両側面には、図２（Ｂ）に示すように、横方向に突出する突起部６７が左右に２つ並んで、それぞれに形成されている。この突起部６７をガイドするガイド溝６８が、装置本体１２の内壁にそれぞれ形成されている。
【００５９】
このガイド溝６８は、カートリッジケース６２側に傾斜して斜め上方向に延びると共に、上部に差込口が形成されており、突起部６７は上部の差込口からガイド溝６８に差し込まれる。
【００６０】
これにより、カートリッジケース６３は、装置本体１２に収容された際に、ガイド溝６８に沿って斜め下方に移動すると共に、突起部６７がガイド溝６８の底面に当接して所定の位置に位置決めされる。また、カートリッジケース６３は、装置本体１２から取り出される際に、ガイド溝６８に沿って斜め上方に案内されるようになっている。
【００６１】
また、カートリッジケース６３の上部の両側面であって、プロセスカートリッジ２８Ｋ寄りの位置（図２（Ｂ）において左寄りの位置）には、リンク部材６９の一端部が回動可能にそれぞれ連結されている。リンク部材６９の他端部は、リンク部材７０の一端部に回動可能にそれぞれ連結され、リンク部材７０の他端部は、開閉部５０の下部の両側面にそれぞれ回動可能に連結されている。
【００６２】
また、カートリッジケース６３の上部の両側面であって、プロセスカートリッジ２８Ｋから離れた位置（図２（Ｂ）において右寄りの位置）には、横方向に突出する突起部７１が形成されている。開閉部５０には、開閉部５０の開閉時において突起部７１を支持する支持アーム７２が設けられている。支持アーム７２の先端部には、コの字状のフック７２Ａが形成されており、このフック７２Ａに突起部７１を係合して保持するようになっている。
【００６３】
これにより、開閉部５０を所定の開放角度θ１まで開放すると、開閉部５０の開放動作に連動して、折り畳まれていたリンク部材６９及びリンク部材７０が伸展すると共に、支持アーム７２のフック７２Ａに突起部７１が係合するようになっている。このとき、カートリッジケース６３は、位置不動のままとなっている（図３（Ａ）及び図３（Ｂ）参照）。
【００６４】
開閉部５０を所定の開放角度θ２まで開放すると、図４（Ａ）及び図４（Ｂ）に示すように、開閉部５０の開放動作に連動して、カートリッジケース６３は、カートリッジケース６２が移動することができるスペースを利用して回動し、回動しながらリンク部材６９、７０及び支持アーム７２に引っ張り上げられるようになっている。
【００６５】
開閉部５０を開放角度θ２まで開放すると、カートリッジケース６２、６３の下端側にスペースが確保され、カートリッジケース６２、６３の下端の開口からプロセスカートリッジ２８Ｋ及びプロセスカートリッジ２８Ｙ、２８Ｍ、２８Ｃをそれぞれ取り外すことができるようになっている。
【００６６】
なお、図５（Ａ）及び図５（Ｂ）に示すように、カートリッジケース６２は回動可能にリンク部材６９に連結されているので、開放角度θ１まで開放した段階で、カートリッジケース６２を回動させて、プロセスカートリッジ２８Ｋを取り外すようにしてもよい。
【００６７】
また、図２（Ｂ）、図３（Ｂ）、図４（Ｂ）及び図５（Ｂ）において、突起部６４、ガイド溝６５、リンク部材６６、突起部６７、ガイド溝６８、リンク部材６９、７０、突起部７１及び支持アーム７２は、一方のみを図示している。
【００６８】
次に、移動機構を機能させるか否かを選択する選択手段について説明する。
【００６９】
本実施形態では、選択手段として、リンク部材６６の連結状態を解除する解除手段９０が用いられている。
【００７０】
解除手段９０は、リンク部材６６の上端部に形成された被係合部としての突起部９１を備えている。開閉部５０には、リンク部材６６を開閉部５０と連結する連結部材９２が設けられている。連結部材９２は、その中央部が支軸９２Ａにより回動可能に支持されており、連結部材９２の一端部には、開閉部に変位可能に設けられた係合部としてのフック９３が形成されている。
【００７１】
フック９３は、突起部９１と係合することにより、リンク部材６６と開閉部５０とを連結するようになっている。フック９３の下方には、フック９３を突起部９１との係合方向へ付勢する付勢手段としてのスプリング９４が設けられている。
【００７２】
連結部材９２の他端部には、スプリング９４の付勢力に対抗してフック９３を係合方向と反対方向へ移動させる操作部としての操作レバー９５が形成されている。
【００７３】
次に、上記の実施形態について作用を説明する。
【００７４】
本実施形態の構成によれば、フック９３は、リンク部材６６に設けられた突起部９１と係合する係合方向に付勢されている。これにより、開閉部５０とプロセスカートリッジ２８Ｋとを連結するリンク部材６６の連結状態が維持されている。
【００７５】
この状態において、開閉部５０を所定の開放角度θ１まで開放すると、開閉部５０の開放動作に連動して、カートリッジケース６２が上方へ引っ張りあげられ、開閉部５０の開放側、すなわち、開閉部５０が開放されることで形成される開放空間へ移動する（図３（Ａ）及び図３（Ｂ）参照）。
【００７６】
また、開閉部５０を所定の開放角度θ１まで開放すると、開閉部５０の開放動作に連動して、折り畳まれていたリンク部材６９及びリンク部材７０が伸展すると共に、支持アーム７２のフック７２Ａに突起部７１が係合する。（図３（Ａ）及び図３（Ｂ）参照）。
【００７７】
次に、開閉部５０を所定の開放角度θ２まで開放すると、開閉部５０の開放動作に連動して、カートリッジケース６３は、リンク部材６９、７０及び支持アーム７２によって、回動しながら引っ張り上げられる。
【００７８】
また、開閉部５０を所定の開放角度θ２まで開放すると、開閉部５０の開放動作に連動して、カートリッジケース６２は、さらに上方へ持ち上げられる。
【００７９】
そして、プロセスカートリッジ２８の下端部（感光体ドラム３０がない端部）から引き出して、プロセスカートリッジ２８をカートリッジケース６２、６３から取り外して交換する。これにより、感光体ドラム３０の表面に触れずに、プロセスカートリッジ２８の取り外しができるので、手が汚れることがなく、また、感光体ドラム３０の表面に傷をつけることがない。プロセスカートリッジ２８を交換した後は、開閉部５０を閉鎖し、カートリッジケース６２、６３を元の位置に戻す。
【００８０】
このように、本実施形態によれば、装置本体１２に設けられた開閉部５０を開放すると、その開閉部５０の開放動作に連動して、プロセスカートリッジ２８が開閉部５０の開放側へ移動する。これにより、プロセスカートリッジ２８を装置本体１２から取り出すのが楽になり、装置本体１２にあるプロセスカートリッジ２８を交換する際の操作性がよい。
【００８１】
特に、本実施形態では、装置本体１２にプロセスカートリッジ２８が略水平方向へ配置されているので、プロセスカートリッジ２８の交換操作する者が、プロセスカートリッジ２８の配置方向から装置本体１２に対面してプロセスカートリッジ２８にアクセスする場合は、すなわち、開閉部５０の自由端側（排出トレイ２０側）からプロセスカートリッジ２８にアクセスする場合は、各プロセスカートリッジ２８までの距離が異なり、各プロセスカートリッジ２８の取り出しやすさが異なる。すなわち、手前にあるプロセスカートリッジ２８Ｋよりも、奥にあるプロセスカートリッジ２８Ｙが取り出しにくい。
【００８２】
そこで、本実施形態では、交換頻度の高いモノクロカートリッジであるプロセスカートリッジ２８Ｋを、開閉部５０の自由端側に配置し、開放側へ回動できるようにしたので、開閉部を大きく開放することなく、交換できる。また、本実施形態のように、開閉部５０に重量のある画像読取部５２や転写ベルト２６が設けられた構成であっても、開閉部を大きく開放せずに、プロセスカートリッジ２８Ｋを交換できるので、プロセスカートリッジ２８Ｋを交換する際の操作性がよい。
【００８３】
また、本実施形態によれば、開閉部５０の開放角度に応じて、プロセスカートリッジ２８Ｋと、プロセスカートリッジ２８Ｙ、２８Ｍ、２８Ｃとが別個に移動するので、時間差でプロセスカートリッジ２８Ｋとプロセスカートリッジ２８Ｙ、２８Ｍ、２８Ｃとが移動する。これにより、プロセスカートリッジ２８Ｋがあったスペースを利用して、プロセスカートリッジ２８Ｙ、２８Ｍ、２８Ｃを移動させられ、プロセスカートリッジ２８Ｙ、２８Ｍ、２８Ｃを移動させるためのスペースを別途確保する必要がないので、複数のプロセスカートリッジ２８をコンパクトに配置できる。
【００８４】
また、プロセスカートリッジ２８Ｋが移動したことでできるスペースを利用して、プロセスカートリッジ２８Ｙ、２８Ｍ、２８Ｃを回動させながら移動させるので、機構が複雑とならず、小型化できる。
【００８５】
また、プロセスカートリッジ２８Ｋと転写ベルト２６との間に挟まった用紙Ｐの除去を行う場合は、操作レバー９５を操作することにより、スプリング９４の付勢力に対抗してフック９３を係合方向と反対方向へ移動させる。
【００８６】
これにより、リンク部材６６の連結状態を解除され、開閉部５０を開放しても、プロセスカートリッジ２８Ｋが移動せず、プロセスカートリッジ２８Ｋと転写ベルト２６との間が開放される（図６（Ａ）及び図６（Ｂ）参照）。
【００８７】
このように、プロセスカートリッジ２８Ｋと転写ベルト２６との間に挟まった用紙Ｐの除去を行う場合に、操作レバー９５を操作すればよいので、プロセスカートリッジ２８Ｋの交換作業性及び用紙Ｐの除去作業性がよい。
【００８８】
〔第２実施形態〕
次に、本発明の第２実施形態について説明する。なお、画像形成装置の全体構成は、第１実施形態と同一であるので、説明を省略する。また、第１実施形態と同一の部分には同一の符号を付し、説明を省略する。
【００８９】
第２実施形態に係る移動機構８０は、図７（Ａ）及び図７（Ｂ）に示すように、プロセスカートリッジ２８Ｙ、２８Ｍ、２８Ｃを収容するカートリッジケース８２を備えている。
【００９０】
プロセスカートリッジ２８Ｙ、２８Ｍ、２８Ｃは、カートリッジケース８２に、ラッチ機構等により、着脱可能に固定されている。
【００９１】
カートリッジケース８２は、図７（Ａ）に示すように、上端が開口されており、プロセスカートリッジ２８Ｙ、２８Ｍ、２８Ｃの感光体ドラム３０は、この開口を通じて、転写ベルト２６との間を通過する用紙Ｐに接触するように構成されている。また、この開口を通じて、プロセスカートリッジ２８Ｙ、２８Ｍ、２８Ｃが着脱されるようになっている。
【００９２】
この第２実施形態では、プロセスカートリッジ２８Ｋは、カートリッジケースに収容されておらず、プロセスカートリッジ２８Ｋの両側面の下部及び中央部には、横方向に突出する突起部８４、８７がそれぞれ形成されている。この突起部８４、８７をガイドするガイド溝８５が、装置本体１２の内壁にそれぞれ形成されている。このガイド溝８５は、縦方向に延びると共に装置本体１２の上部で、開閉部５０の自由端側（図７（Ａ）において左側）に湾曲している。また、ガイド溝８５の上部には、差込口が形成されており、突起部８４、８７は上部の差込口からガイド溝８５に差し込まれる。
【００９３】
これにより、プロセスカートリッジ２８Ｋは、装置本体１２に収容された際に、ガイド溝８５に沿って下方に移動すると共に、突起部８４がガイド溝８５の底面に当接して所定の位置に位置決めされる。また、プロセスカートリッジ２８Ｋは、装置本体１２から取り出される際に、ガイド溝８５に沿って上方に案内されながら回動して、開閉部５０の開放側、すなわち、開閉部５０が開放されることで形成される開放空間へ向きを変えるようになっている。
【００９４】
また、プロセスカートリッジ２８Ｋの両側面にある突起部８４をそれぞれ支持する支持アーム８６が設けられている。支持アーム８６の先端部には、突起部８４を引っ掛けるフック８６Ａがそれぞれ形成されている。
【００９５】
支持アーム８６の後端部には、リンク部材８３の一端部が回動可能にそれぞれ連結され、リンク部材８３の他端部は、開閉部５０の下部にそれぞれ回動可能に連結されている。
【００９６】
これにより、開閉部５０を所定の開放角度θ１まで開放すると、開閉部５０の開放動作に連動して、プロセスカートリッジ２８Ｋは、支持アーム８６に引っ張り上げられるようになっている。プロセスカートリッジ２８Ｋが引っ張りあげられて上方へ移動することにより、開閉部５０の開放側、すなわち、開閉部５０が開放されることで形成される開放空間へ移動することになる（図８（Ａ）及び図８（Ｂ）参照）。
【００９７】
また、プロセスカートリッジ２８Ｋは、支持アーム８６により、開閉部５０の閉鎖動作に連動して、ガイド溝８５に沿って下方へ移動するようになっている。
【００９８】
一方、カートリッジケース８２の下部の両側面であって、プロセスカートリッジ２８Ｋ寄りの位置（図７（Ｂ）において左寄りの位置）には、図７（Ｂ）に示すように、支軸８７がそれぞれ設けられている。この支軸８７により、カートリッジケース８２は、回動可能に装置本体１２に支持される。
【００９９】
カートリッジケース８２の下部の両側面であって、プロセスカートリッジ２８Ｋから離れた位置（図７（Ｂ）において右寄りの位置）には、図７（Ｂ）に示すように、リンク部材８８の一端部がそれぞれ回動可能に連結されている。リンク部材８８の他端部には、リンク部材８９の一端部が回動可能に連結され、リンク部材８９の他端部は、開閉部５０の下部の両側面にそれぞれ回動可能に連結されている。
【０１００】
これにより、開閉部５０を所定の開放角度θ１まで開放すると、開閉部５０の開放動作に連動して、リンク部材８８、８９は伸展し（図８（Ａ）及び図８（Ｂ）参照）、開閉部５０を所定の開放角度θ２まで開放すると、開閉部５０の開放動作に連動して、カートリッジケース８２がリンク部材８８、８９により、引っ張りあげられる（図９（Ａ）及び図９（Ｂ）参照）。
【０１０１】
カートリッジケース８２が引っ張りあげられると、支軸８７を中心に回動し、端部が持ち上げられて、上部の開口が開放側へ傾けられ、開閉部５０の開放側へ移動する。上部の開口を通じて、感光体ドラム３０側からプロセスカートリッジ２８Ｙ、２８Ｍ、２８Ｃをそれぞれ取り外すことができるようになっている。
【０１０２】
なお、図７（Ｂ）、図８（Ｂ）及び図９（Ｂ）において、突起部８４、８７、ガイド溝８５、支持アーム８６、リンク部材８３、支軸８７、リンク部材８８、８９は、一方のみを図示している。
【０１０３】
次に、移動機構を機能させるか否かを選択する選択手段について説明する。
【０１０４】
本実施形態では、第１実施形態と同様に、選択手段として、リンク部材６６の連結状態を解除する解除手段９０が用いられている。
【０１０５】
解除手段９０は、リンク部材６６の上端部に形成された被係合部としての突起部９１を備えている。開閉部５０には、リンク部材６６を開閉部５０と連結する連結部材９２が設けられている。連結部材９２は、その中央部が支軸９２Ａにより回動可能に支持されており、連結部材９２の一端部には、開閉部に変位可能に設けられた係合部としてのフック９３が形成されている。
【０１０６】
フック９３は、突起部９１と係合することにより、リンク部材６６と開閉部５０とを連結するようになっている。フック９３の下方には、フック９３を突起部９１との係合方向へ付勢する付勢手段としてのスプリング９４が設けられている。
【０１０７】
連結部材９２の他端部には、スプリング９４の付勢力に対抗してフック９３を係合方向と反対方向へ移動させる操作部としての操作レバー９５が形成されている。
【０１０８】
次に、上記の実施形態について作用を説明する。
【０１０９】
本実施形態の構成によれば、フック９３は、リンク部材６６に設けられた突起部９１と係合する係合方向に付勢されている。これにより、開閉部５０とプロセスカートリッジ２８Ｋとを連結するリンク部材６６の連結状態が維持されている。
【０１１０】
この状態において、開閉部５０を所定の開放角度θ１まで開放すると、開閉部５０の開放動作に連動して、プロセスカートリッジ２８Ｋは、引っ張りあげられ、開閉部５０の開放側、すなわち、開閉部５０が開放されることで形成される開放空間へ移動する（図８（Ａ）及び図８（Ｂ）参照）。開閉部５０の開放側へ移動したプロセスカートリッジ２８Ｋを取り外して、プロセスカートリッジ２８Ｋを交換する。
【０１１１】
次に、開閉部５０を所定の開放角度θ２まで開放すると、開閉部５０の開放動作に連動して、カートリッジケース８２がリンク部材８８、８９により、引っ張りあげられ、支軸８７を中心に回動し、端部が持ち上げられて、上部の開口が開放側へ傾けられる（図９（Ａ）及び図９（Ｂ）参照）。開閉部５０の開放側へ傾けられた上部の開口を通じて、感光体ドラム３０側からプロセスカートリッジ２８Ｙ、２８Ｍ、２８Ｃをそれぞれ取り外して、プロセスカートリッジ２８Ｙ、２８Ｍ、２８Ｃを交換する。
【０１１２】
本実施形態によれば、装置本体１２に設けられた開閉部５０を開放すると、その開閉部５０の開放動作に連動して、プロセスカートリッジ２８が開閉部５０の開放側へ移動する。
【０１１３】
これにより、プロセスカートリッジ２８を装置本体１２から取り出すのが楽になり、装置本体１２にあるプロセスカートリッジ２８を交換する際の操作性がよい。
【０１１４】
特に、本実施形態では、装置本体１２にプロセスカートリッジ２８が略水平方向へ配置されているので、プロセスカートリッジ２８の交換操作する者が、プロセスカートリッジ２８の配置方向から装置本体１２に対面してプロセスカートリッジ２８にアクセスする場合は、すなわち、開閉部５０の自由端側（排出トレイ２０側）からプロセスカートリッジ２８にアクセスする場合は、各プロセスカートリッジ２８までの距離が異なり、各プロセスカートリッジ２８の取り出しやすさが異なる。すなわち、手前にあるプロセスカートリッジ２８Ｋよりも、奥にあるプロセスカートリッジ２８Ｙが取り出しにくい。
【０１１５】
そこで、本実施形態では、交換頻度の高いモノクロカートリッジであるプロセスカートリッジ２８Ｋを、開閉部５０の自由端側に配置し、開放側へ回動するようにしたので、開閉部を大きく開放することなく、交換できる。また、本実施形態のように、開閉部５０に重量のある画像読取部５２や転写ベルト２６が設けられた構成であっても、開閉部を大きく開放せずに、プロセスカートリッジ２８Ｋを交換できるので、プロセスカートリッジ２８Ｋを交換する際の操作性がよい。
【０１１６】
また、本実施形態によれば、開閉部５０の開放角度に応じて、プロセスカートリッジ２８Ｋと、プロセスカートリッジ２８Ｙ、２８Ｍ、２８Ｃとが別個に移動するので、時間差でプロセスカートリッジ２８Ｋとプロセスカートリッジ２８Ｙ、２８Ｍ、２８Ｃとが移動する。これにより、プロセスカートリッジ２８Ｋがあったスペースを利用して、プロセスカートリッジ２８Ｙ、２８Ｍ、２８Ｃを移動させられ、プロセスカートリッジ２８Ｙ、２８Ｍ、２８Ｃを移動させるためのスペースを別途確保する必要がないので、複数のプロセスカートリッジ２８をコンパクトに配置できる。
【０１１７】
また、プロセスカートリッジ２８Ｋが移動したことでできるスペースを利用して、プロセスカートリッジ２８Ｙ、２８Ｍ、２８Ｃを回動させながら移動させるので、機構が複雑とならず、小型化できる。
【０１１８】
さらに、プロセスカートリッジ２８Ｙ、２８Ｍ、２８Ｃが収容されたカートリッジケース８２は、装置本体１２側で支持されているため、開閉部５０の荷重が過大とならず、開閉部５０を開閉する際の操作性がよい。
【０１１９】
また、プロセスカートリッジ２８Ｋと転写ベルト２６との間に挟まった用紙Ｐの除去を行う場合は、操作レバー９５を操作することにより、スプリング９４の付勢力に対抗してフック９３を係合方向と反対方向へ移動させる。
【０１２０】
これにより、リンク部材６６の連結状態を解除され、開閉部５０を開放しても、プロセスカートリッジ２８Ｋが移動せず、プロセスカートリッジ２８Ｋと転写ベルト２６との間が開放される（図１０（Ａ）及び図１０（Ｂ）参照）。
【０１２１】
このように、プロセスカートリッジ２８Ｋと転写ベルト２６との間に挟まった用紙Ｐの除去を行う場合に、操作レバー９５を操作すればよいので、プロセスカートリッジ２８Ｋの交換作業性及び用紙Ｐの除去作業性がよい。
【０１２２】
また、第１及び第２実施形態では、プロセスカートリッジ２８Ｋを移動させた後、プロセスカートリッジ２８Ｙ、２８Ｍ、２８Ｃを積極的に移動させる構成であったが、プロセスカートリッジ２８Ｋを移動させた後、プロセスカートリッジ２８Ｙ、２８Ｍ、２８Ｃを移動可能となるように構成し、交換操作する者が手動により、開閉部５０の開放側に移動させてプロセスカートリッジ２８Ｙ、２８Ｍ、２８Ｃを交換してもよい。
【０１２３】
また、第１及び第２実施形態では、プロセスカートリッジ２８Ｙ、２８Ｍ、２８Ｃが、一体に移動していたが、別個に開閉部５０の開放側に移動するように構成してもよい。
【０１２４】
また、第１及び第２実施形態では、プロセスカートリッジ２８が水平方向に沿って配置されていたが、本発明に係る横方向へ配置されたプロセスカートリッジとしては、これに限られず、例えば、図１３（Ａ）及び図１３（Ｂ）に示すように、プロセスカートリッジ２８を上方又は下方に徐々にずらしながら横方向に配置した構成でもよい（図１３（Ａ）及び図１３（Ｂ）においては、右方にいくにつれた徐々に上方にずれている）。図１３（Ａ）は、プロセスカートリッジが上下方向を向いた例を示し、図１３（Ｂ）は、プロセスカートリッジが斜めに傾けられた例を示す。
【０１２５】
〔第３実施形態〕
次に、本発明の第３実施形態について説明する。
【０１２６】
本実施形態に係る画像形成装置１００は、図１１に示すように、装置本体１１２を備え、装置本体１１２の下部には、用紙（記録媒体）Ｐが束状に積層されて収納される給紙トレイ１１４が配置されている。
【０１２７】
この給紙トレイ１１４の先端側（図１において右端側）の直上には、用紙Ｐの上面の先端側に圧接して給紙トレイ１１４から用紙Ｐを送り出すフィードロール１１６が配置されている。フィードロール１１６の下方には、重送を防止するためのリタードロール１１８が対向配置されている。
【０１２８】
また、装置本体１１２には、給紙トレイ１１４の先端部から延出して、緩やかに湾曲し、装置前方側（図１において右側）で上方へ向かって略垂直に延びる搬送路１２２が形成されている。
【０１２９】
この搬送路１２２に沿って、用紙搬送方向の上流側から順に、用紙Ｐを挟持搬送する搬送ロール対１２４、プロセスカートリッジ１２８が配置されている。
【０１３０】
プロセスカートリッジ１２８には、所定方向（図１において反時計回り方向）へ回転する感光体ドラム１３０が設けられている。
【０１３１】
感光体ドラム１３０の周囲には、感光体ドラム１３０の回転方向上流側から順に、それぞれ、感光体ドラム１３０上を帯電させる帯電ローラ１３２と、帯電した感光体ドラム１３０を露光して感光体ドラム１３０上に潜像を形成する露光装置１３４と、感光体ドラム１３０上に形成された潜像へ各色のトナーを付着させて現像する現像ローラ１３６と、が設けられている。なお、この帯電ローラ１３２及び現像ローラ１３６は、各プロセスカートリッジ１２８に設けられている。
【０１３２】
このプロセスカートリッジ１２８は、装置本体１１２に着脱可能に設けられており、図１０（Ａ）に示すように、横方向へ引き出すことにより取り外される。
【０１３３】
また、感光体ドラム１３０に対向する横方向には、それぞれ、感光体ドラム１３０上に形成されたトナー画像を用紙Ｐへ所定の転写位置で転写する転写装置１３８が設けられている。この転写装置１３８は、装置本体１２の側部を開閉する開閉部１５０に設けられており、開閉部１５０が開閉されると、開閉部１５０と一体に移動するようになっている（図１２（Ａ）及び図１２（Ｂ）参照）。開閉部１５０は、その一端部（図１１において下端部）が支持部１５０Ａによって回動可能に支持されており、この支持部５０Ａを中心に回動することにより、装置本体１２の側部が開放される。
【０１３４】
また、転写装置１３８より用紙搬送方向下流側には、転写されたトナー画像を用紙Ｐへ定着させる定着装置１４０、用紙Ｐを排出トレイ１２０へ排出する排出ロール対１４４が、この順で配置されている。
【０１３５】
次に、本実施形態に係る画像形成装置における、画像を形成する画像形成動作について説明する。
【０１３６】
本実施形態に係る画像形成装置において、用紙Ｐへ画像を形成する場合は、まず給紙トレイ１１４から取り出された用紙Ｐが、搬送ロール対１２４によって搬送路１２２を上方へ搬送され、所定の転写位置へ送り込まれる。
【０１３７】
所定の転写位置へ送り込まれた用紙Ｐは、感光体ドラム１３０上に形成されたトナー画像が転写装置１３８によって転写される。さらに定着装置１４０へ搬送され、転写されたトナー画像が定着装置１４０により定着される。トナー画像が定着された後、用紙Ｐは排出ロール対１４４により排出トレイ１２０へ排出される。以上のように、一連の画像形成動作が行われる。
【０１３８】
ここで、開閉部１５０の開放動作に連動して、プロセスカートリッジ１２８を開閉部１５０の開放側へ移動させるための構成、及びプロセスカートリッジ１２８を移動させるか否かを選択するための構成について説明する。
【０１３９】
プロセスカートリッジ１２８と開閉部１５０との間には、開閉部１５０の開放動作に連動して、プロセスカートリッジ１２８を開閉部１５０の開放側へ移動させる移動機構としてのリンク部材１５２が設けられている。リンク部材１５２の一端部は、感光体ドラム１３０にある軸部１３０Ａに回動可能に連結され、リンク部材１５２の他端部は、開閉部１５０の上部に配置されている。リンク部材１５２の他端部には、被係合部としての突起部１５４が設けられている。
【０１４０】
開閉部１５０には、リンク部材１５２を開閉部１５０と連結する連結部材１５６が設けられている。連結部材１５６は、その中央部が支軸１５６Ａにより回動可能に支持されており、連結部材１５６の一端部には、開閉部に変位可能に設けられた係合部としてのフック１５８が形成されている。フック１５８は、突起部１５４と係合することにより、リンク部材１５２と開閉部１５０とを連結するようになっている。フック１５８の下方には、フック１５８を突起部１５４との係合方向へ付勢する付勢手段としてのスプリング１６０が設けられている。
【０１４１】
連結部材１５６の他端部には、スプリング１６０の付勢力に対抗してフック１５８を係合方向と反対方向へ移動させる操作部としての操作レバー１６２が形成されている。
【０１４２】
次に、上記の実施形態について作用を説明する。
【０１４３】
本実施形態の構成によれば、フック１５８は、リンク部材１５２に設けられた突起部１５４と係合する係合方向に付勢されている。これにより、開閉部１５０とプロセスカートリッジ１２８とを連結するリンク部材１５２の連結状態が維持され、開閉部１５０の開放動作に連動して、プロセスカートリッジ１２８が開閉部１５０の開放側へ移動する（図１２（Ａ）参照）。
【０１４４】
これにより、プロセスカートリッジ１２８を装置本体１１２から取り出すのが楽になり、装置本体１１２にあるプロセスカートリッジ１２８を交換する際の交換作業性がよい。
【０１４５】
また、プロセスカートリッジ１２８と転写装置１３８との間に挟まった用紙Ｐの除去を行う場合は、操作レバー１６２を操作することにより、スプリング１６０の付勢力に対抗してフック１５８を係合方向と反対方向へ移動させる。
【０１４６】
これにより、リンク部材１５２の連結状態を解除され、開閉部１５０を開放しても、プロセスカートリッジ１２８が移動せず、プロセスカートリッジ１２８と転写装置１３８との間が開放される（図１２（Ｂ）参照））。
【０１４７】
このように、プロセスカートリッジ１２８と転写装置１３８との間に挟まった用紙Ｐの除去を行う場合に、操作レバー１６２を操作すればよいので、プロセスカートリッジ１２８の交換作業性及び用紙Ｐの除去作業性がよい。
また、本実施形態の構成では、搬送ロール対１２４と、プロセスカートリッジ１２８を挟んで定着装置１４０が、搬送可能な記録媒体の送り方向長さよりも短い間隔で配置されている。したがって用紙Ｐが搬送ロール対１２４と、定着装置１４０とに挟持された状態で詰まることがあるが、その状態で開閉部１５０とプロセスカートリッジ１２８とを連結するリンク部材１５２の連結状態が維持されたまま開閉部１５０を開放すると、プロセスカートリッジ１２８が用紙Ｐを突き破るおそれがある。本実施形態の構成によれば、用紙Ｐを損傷させずに除去することができる。
【０１４８】
本発明は、本実施形態に限るものではなく、本発明の要旨を逸脱しない限りにおいて、種々の変形、変更、改良が可能である。例えば本実施形態では電子写真方式のカートリッジについて説明したが、インクジェット方式のカートリッジであっても適用は可能である。
【図面の簡単な説明】
【０１４９】
【図１】図１は、本発明の第１実施形態に係る画像形成装置の全体構成を示す概略図である。
【図２】図２（Ａ）は、第１実施形態に係る開閉部を閉鎖した状態における画像形成装置の全体構成を示す概略図であり、図２（Ｂ）は、第１実施形態に係る開閉部を閉鎖した状態における移動機構の構成を示す概略図である。
【図３】図３（Ａ）は、第１実施形態に係る開閉部を所定の第１開放角度開放した状態における画像形成装置の全体構成を示す概略図であり、図３（Ｂ）は、第１実施形態に係る開閉部を所定の第１開放角度開放した状態における移動機構の構成を示す概略図である。
【図４】図４（Ａ）は、第１実施形態に係る開閉部を第１開放角度より大きい第２開放角度開放した状態における画像形成装置の全体構成を示す概略図であり、図４（Ｂ）は、第１実施形態に係る開閉部を第２開放角度開放した状態における移動機構の構成を示す概略図である。
【図５】図５は、第１実施形態に係るカートリッジケースを回動させた状態における画像形成装置の全体構成を示す概略図であり、第１実施形態に係るカートリッジケースを回動させた状態における移動機構の構成を示す概略図である。
【図６】図６（Ａ）は、第１実施形態に係るリンク部材の連結状態が解除された場合において、開閉部を開放したときの画像形成装置の全体構成を示す概略図であり、図６（Ｂ）は、第１実施形態に係るリンク部材の連結状態が解除された場合において、開閉部を開放したときの移動機構の構成を示す概略図である。
【図７】図７（Ａ）は、第２実施形態に係る開閉部を閉鎖した状態における画像形成装置の全体構成を示す概略図であり、図７（Ｂ）は、第２実施形態に係る開閉部を閉鎖した状態における移動機構の構成を示す概略図である。
【図８】図８（Ａ）は、第２実施形態に係る開閉部を所定の第１開放角度開放した状態における画像形成装置の全体構成を示す概略図であり、図８（Ｂ）は、第２実施形態に係る開閉部を所定の第１開放角度開放した状態における移動機構の構成を示す概略図である。
【図９】図９（Ａ）は、第２実施形態に係る開閉部を第１開放角度より大きい第２開放角度開放した状態における画像形成装置の全体構成を示す概略図であり、図９（Ｂ）は、第２実施形態に係る開閉部を第２開放角度開放した状態における移動機構の構成を示す概略図である。
【図１０】図１０（Ａ）は、第２実施形態に係るリンク部材の連結状態が解除された場合において、開閉部を開放したときの画像形成装置の全体構成を示す概略図であり、図１０（Ｂ）は、第１実施形態に係るリンク部材の連結状態が解除された場合において、開閉部を開放したときの移動機構の構成を示す概略図である。
【図１１】図１１は、第３実施形態に係る画像形成装置の全体構成を示す概略図である。
【図１２】図１０（Ａ）は、リンク部材が連結された状態において、開閉部を開放した場合を示し、図１０（Ｂ）は、リンク部材の連結状態が解除された場合において、開閉部を開放したときを示す概略図である。
【図１３】図１３は、第１及び第２実施形態に係るプロセスカートリッジの配置の変形例を示す概略図である。
【符号の説明】
【０１５０】
１０   画像形成装置
１２   装置本体
２６   転写ベルト
２８Ｙ、２８Ｍ、２８Ｃ、２８Ｋ  プロセスカートリッジ
５０   開閉部
５２   画像読取部
６０   移動機構
８０   移動機構
８２   カートリッジケース
８８   リンク部材
８９   リンク部材
９０   解除手段（選択手段）
９１   突起部（被係合部）
９３   フック（係合部）
９４   スプリング（付勢手段）
９５   操作レバー（操作部）
１００ 画像形成装置
１５４ 突起部（被係合部）
１５８ フック（係合部）
１６０ スプリング（付勢手段）
１６２ 操作レバー（操作部）
【図１】
2008046402.tif 000003
【図２】
2008046402.tif 000004
【図３】
2008046402.tif 000005
【図４】
2008046402.tif 000006
【図５】
2008046402.tif 000007
【図６】
2008046402.tif 000008
【図７】
2008046402.tif 000009
【図８】
2008046402.tif 000010
【図９】
2008046402.tif 000011
【図１０】
2008046402.tif 000012
【図１１】
2008046402.tif 000013
【図１２】
2008046402.tif 000014
【図１３】
2008046402.tif 000015